(57)【特許請求の範囲】
【請求項１】
鏡板を囲繞して支持する框体を、一対の縦框部の各上端部に上框部の各長手方向の端部を連結すると共に、一対の縦框部の各下端部に下框部の各長手方向の端部を連結することで形成し、縦框部を木質材で構成すると共に、上框部及び下框部を金属製型材で構成し、上框部及び下框部を縦框部の框幅寸法よりも小さい框幅寸法を有するように形成し、縦框部の上端部に内方且つ上方へ開口する上切欠部を設けると共に、縦框部の下端部に内方且つ下方へ開口する下切欠部を設け、上切欠部に上框部の長手方向の端部を嵌合すると共に、下切欠部に下框部の長手方向の端部を嵌合し、
上記金属製型材が、外方へ開口して内方へ凹没する溝部と内方へ開口して外方へ凹没し鏡板の外周部が嵌合される横溝部とを設けると共に横溝部の溝底から外方に離れた位置に溝部の溝底を有した中空型材であり、
溝部の溝底と該溝底に対向する縦框部とを、頭部を溝部の溝底に臨ませた固定具で固定し、上記金属製型材の表面に木質柄の化粧シートを貼着したことを特徴とする戸体。
【請求項２】
上記溝部の溝底を、金属製型材の内外方向の略中央部で厚み方向に亙って架設された架設片にて構成したことを特徴とする請求項１記載の戸体。
【発明の詳細な説明】
【技術分野】
【０００１】
本発明は、矩形枠状の框体の内部に鏡板を配設した戸体に関するものである。
【背景技術】
【０００２】
従来から、建物内装で用いる戸体１には、図５のように矩形枠状の框体３の内部に鏡板２を配設したものが一般に知られている。詳しくは、框体３は一対の縦框部４の上下端部間にそれぞれ上框部５と下框部６とを架設して形成されるものであり、鏡板２は各框部４〜６で囲繞される鏡板用開口１０に配置して框体３内に組み込むことが一般に行われている。
【０００３】
ところで、近年では、天井高を高く採るなどして居室空間に上下方向の開放感を出そうとするデザインが好まれる傾向にあり、戸体１にも上下への広がりを現出するようなデザインを採用したいという要望がある。この場合、意匠的に目立つ鏡板２にできるだけ縦長の外観イメージを現出させると上記デザインの効果を効果的に得られるものと期待できる。しかしながら、鏡板２にできるだけ縦長のイメージを現出するには、框体３の上框部５や下框部６の框幅寸法Ｗ２を薄く形成する必要があり、木質材である框体３（上框部５や下框部６）の強度が不足するといった問題が生じてしまう。
【０００４】
なお、特許文献１には、図６のように、鏡板２の外周に金属製の外枠体３１を取り付けてパネル体３０を形成し、このパネル体３０の両側に木質の縦框材３２を取り付けて戸体１´を形成することが開示されている。この戸体１´では、鏡板２の荷重を金属製の外枠体３１で支持して強度を確保しつつ、鏡板２に縦長の外観イメージを現出させている。しかしながら、この戸体１は、一対の縦枠部３１ａと上枠部３１ｂと下枠部３１ｃと中柱部３１ｄとで成る外枠体３１における一対の縦枠部３１ａに対してそれぞれ縦框材３２を取り付けており、つまり、戸体１´の両側部位を構成する部材として縦枠部３１ａと縦框材３２とを重複するように用いており、部材点数の増加によって良好な製造性が得られない、という問題がある。
【特許文献１】特開２００４−１６２２６４号公報
【発明の開示】
【発明が解決しようとする課題】
【０００５】
本発明は上記の点に鑑みてなされたものであり、その目的とするところは、必要最低限の構成要素で、良好な強度や製造性を確保しつつ、縦長の鏡板の外観イメージを現出できる戸体を提供することを課題とするものである。
【課題を解決するための手段】
【０００６】
上記課題を解決するために請求項１に係る戸体１にあっては、鏡板２を囲繞して支持する框体３を、一対の縦框部４の各上端部に上框部５の各長手方向の端部を連結すると共に、一対の縦框部４の各下端部に下框部６の各長手方向の端部を連結することで形成し、縦框部４を木質材で構成すると共に、上框部５及び下框部６を金属製型材２０で構成し、上框部５及び下框部６を縦框部４の框幅寸法Ｗ１よりも小さい框幅寸法Ｗ２を有するように形成し、縦框部４の上端部に内方且つ上方へ開口する上切欠部７を設けると共に、縦框部４の下端部に内方且つ下方へ開口する下切欠部８を設け、上切欠部７に上框部５の長手方向の端部を嵌合すると共に、下切欠部８に下框部６の長手方向の端部を嵌合し、上記金属製型材２０が、外方へ開口して内方へ凹没する溝部２１と内方へ開口して外方へ凹没し鏡板２の外周部が嵌合される横溝部１３とを設けると共に横溝部１３の溝底から外方に離れた位置に溝部２１の溝底を有した中空型材であり、溝部２１の溝底と該溝底に対向する縦框部４とを、頭部９ａを溝部２１の溝底に臨ませた固定具９で固定し、上記金属製型材２０の表面に木質柄の化粧シート２７を貼着したことを特徴とする。
【０００７】
これによると、一対の縦框部４の各上端部に上框部５の各長手方向の端部を連結すると共に、一対の縦框部４の各下端部に下框部６の各長手方向の端部を連結することで、必要最低限の構成要素（各框部４〜６）によって鏡板２を囲繞して支持する框体３を形成でき、良好な製造性を確保できる。また、框体３における上框部５及び下框部６を縦框部４の框幅寸法Ｗ１よりも小さい框幅寸法Ｗ２を有するように形成したことで、相対的に鏡板２の上下寸法を長くできるから鏡板２に縦長の外観イメージを現出できる。そして、上記框幅寸法の小さい上框部５及び下框部６を金属製型材２０で構成したので、框体３、ひいては戸体１に良好な強度を備えるようにできる。
【０００９】
また、加工のし易い木質材である縦框部４に施した各切欠部７，８に上框部５や下框部６を嵌合するという簡単な構造で、上框部５や下框部６を位置決めを伴って縦框部４に対して取り付けできる。
【００１１】
また、上框部５や下框部６を縦框部４に固定具９を介して固定するに当たり、固定具９はその頭部９ａを溝部２１の外方から操作できるから良好な作業性を確保できる。また、化粧シート２７を貼着した金属製型材２０で構成した上框部５及び下框部６も、木質材で構成した縦框部４と同様に木質系の外観にできるから、戸板１に木質系で統一された良好な外観を現出できる。
【００１２】
また、請求項２に係る戸体１にあっては、請求項１において、上記溝部２１の溝底を、金属製型材２０の内外方向の略中央部で厚み方向に亙って架設された架設片２６にて構成したことを特徴とする。
【００１３】
これによると、固定具９における上框部５や下框部６の固定箇所が金属製型材２０の内外方向の略中央部で構造片として機能する架設片２６にて構成されたので、固定具９の取付荷重による金属製型材２０の変形を抑制できるのであり、また、固定具９における上框部５や下框部６への固定箇所と縦框部４への固定箇所との距離を短くできて、固定具９での上框部５や下框部６の縦框部４への強固な取付強度を確保できる。
【発明の効果】
【００１６】
本発明にあっては、良好な強度や製造性を確保しつつ縦長の鏡板の外観イメージを現出できる戸体を、必要最低限の構成要素で形成することができる、という利点を有する。
【発明を実施するための最良の形態】
【００１７】
以下、本発明を添付図面に示す実施形態に基いて説明する。
【００１８】
本例の戸体１は、図１，２のように、鏡板用開口１０を囲繞する矩形枠状の框体３を有し、鏡板用開口１０に配置した鏡板２を上記框体３で支持することで形成されている。框体３は、一対の縦框部４の各上端部に上框部５の各長手方向の端部を連結すると共に、一対の縦框部４の各下端部に下框部６の各長手方向の端部を連結することで、形成されている。詳しくは、本例の框体３は、縦框部４の内側端部に上框部５や下框部６の長手方向の端部が連結されて成る、縦框部４勝ちの構造となっている。ここで、一対の縦框部４は縦長の長尺板である木質材で構成してあり、上框部５や下框部６は横長の長尺桟材であるアルミ等の金属製型材２０で構成してある。また、鏡板２は本例ではガラス板２ａで構成してあり、戸体１の鏡板用開口１０に透光性を備えるようにしている。なお、図中１４は戸体１を建物の開口枠に取り付ける蝶番であり、１５は戸体１を開閉操作するノブである。
【００１９】
金属製型材２０で構成した上框部５や下框部６は、縦框部４の框幅寸法Ｗ１よりも充分に小さい框幅寸法Ｗ２を有するように形成している（Ｗ１＞Ｗ２）。ここで框幅寸法Ｗ１，Ｗ２は各框部４〜６における内外方向の寸法をいう。たとえば本例では上框部５や下框部６の框幅寸法Ｗ２は、縦框部４の框幅寸法Ｗ１の１／７程度にしてある。これによると、鏡板用開口１０の上下端部を戸体１の上下端部に位置させることができ、鏡板用開口１０に配置する鏡板２が、戸体１の上下端部にまで至るような、縦長の外観イメージを現出させている。なお、上記框幅寸法の小さい上框部５及び下框部６は金属製型材２０で構成してあるので、框体３、ひいては戸体１に良好な強度を備えるようにできたものである。
【００２０】
鏡板２は、上記框体３の鏡板用開口１０に臨む内周縁部に亙って設けた取付溝１１に、その外周部を嵌合させることで、框体３に支持される。詳しくは、取付溝１１は、各縦框部４の内側端部において上下方向（長さ方向）に亙るように外方へ凹没した縦溝部１２と、上框部５及び下框部６の各内側端部において内方に開口すると共に左右方向（長さ方向）に亙るように外方へ凹没した横溝部１３とを連続することで、形成されている。なお、鏡板２は框体３の組み立て時に框体３の内部に組み込まれるものである。
【００２１】
このように鏡板用開口１０に配置した鏡板２を支持するには、一対の縦框部４と上框部５と下框部６とで成る矩形枠状の框体３を有すればよいものである。そして、本例の戸体１は、鏡板用開口１０に配置した鏡板２と、鏡板２を支持する框体３とでのみ構成されたものであって、必要最低限の構成要素（各框部４〜６）で構成されたものであり、部材点数の増加やそれに伴う組立性の悪化が回避されて、良好な製造性が確保されている。
【００２２】
ここで、図３には、上框部５や下框部６を構成する金属製型材２０の例を示す。金属製型材２０は上下逆にすることで上框部５と下框部６とに用いることができる。詳しくは、金属製型材２０は外殻を形成する外殻片２２を有しており、この外殻片２２は、上框部５や下框部６の厚み方向の端部に位置される一対の側片部２３と、各側片部２３の内側端同士をつなぐ内側片部２４とで構成され、戸体１の内方に向けて突出すると共に外方に開口するような大略Ｕ字断面状に形成されている。なお、図３（ｃ）中矢印ａは上記厚み方向であり、矢印ｂは内側方向であり、矢印cは外側方向である。
【００２３】
金属製型材２０の内側端部は内側片部２４で構成されるのであるが、この内側片部２４における厚み方向の中央部には、金属製型材２０の長手方向に亙って内方へ開口すると共に外方へ凹設した矩形状の溝条が屈曲形成されており、この溝条が上記取付溝１１の横溝部１３を構成している。また、金属製型材２０の内側端部における取付溝１１（１３）の両縁部には、厚み方向の中央に行くほど内方に位置するような傾斜面２０ａが形成されている。また、金属製型材２０には、一対の側片部２３の外縁から外方へ開口すると共に内側へ凹没するような溝部２１が設けられている。この溝部２１の開口縁を構成する一対の側片部２３の各外縁部位は、内方に向けて折り返したコ字断面に形成されている。また、この溝部２１の溝底は、金属製型材２０の内外方向の略中央部で、一対の側片部２３間に架設される架設片２６によって構成されている。つまり、溝部２１は、外殻片２２の一対の側片部２３と架設片２６とで囲まれるようにして形成されている。また、この金属製型材２０の長手方向の両端部には、架設片２６及び取付溝１１（１３）を貫通して金属製型材２０を内外方向に縦断するような貫通孔２５が穿設されている。
【００２４】
ここで、縦框部４の内側端部における取付溝１１（１２）の両縁部には、厚み方向の中央ほど内方に位置するような傾斜面４ａが形成されている。この縦框部４の傾斜面４ａは、框体３を組み立てたときに、上記金属製型材２０の傾斜面２０ａと連続するようになる。また、図２のように、縦框部４の内側端部の上端部には上方且つ内方へ開口する上切欠部７が形成され、縦框部４の内側端部の下端部には下方且つ内方へ開口する下切欠部８が形成されている。上切欠部７や下切欠部８は縦溝部１２よりも外方にまで切り込まれている。そして、上框部５や下框部６を構成する金属製型材２０は、その長手方向の端部をそれぞれ上切欠部７や下切欠部８に合致嵌合させ、金属製型材２０の溝部２１の外側からネジ等の固定具９を貫通孔２５に通して縦框部４に打入することで、縦框部４に固着されるのである。このようにして框体３が組み立てられるのである。
【００２５】
つまり、本例の框体３では、加工のし易い木質材の縦框部４に施した各切欠部７，８に上框部５や下框部６を嵌合するという簡単な構造で、上框部５や下框部６を位置決めを伴って縦框部４に対して取り付けできたものであり、框体３の良好な組立性が確保されている。また、上記上框部５や下框部６と縦框部４との固定構造は、架設片２６と該架設片２６に対向する縦框部４とを、頭部９ａを溝部２１に臨ませた固定具９によって固定したものである。つまり、頭部９ａを溝部２１に臨ませた固定具９によると、溝部２１の外方から固定具９を操作できるから、上框部５や下框部６の縦框部４への固定作業に良好な作業性を確保できたものである。無論、頭部９ａを溝部２１内に収めることができるので、固定具９が戸体１の上下方向に突出して建物に配設した戸体１の動作を阻害することも、当然に回避できる。
【００２６】
また、本例では、固定具９における上框部５や下框部６の固定箇所が金属製型材２０の内外方向の略中央部で構造片として機能する架設片２６にて構成されたので、固定具９の取付荷重による金属製型材２０の変形を抑制できるのであり、また、固定具９における上框部５や下框部６への固定箇所と縦框部４への固定箇所との距離を短くできて（後述の図４の金属型枠材２０と比べても、該距離は短くなっている）、固定具９での上框部５や下框部６の縦框部４への強固な取付強度を確保できたものである。
【００２７】
また、上框部５や下框部６を構成する金属製型材２０の表面には、木質柄の化粧シート２７が貼着されている。詳しくは、化粧シート２７は、金属製型材２０の表面における厚み方向の両側部分を覆うように、貼着される。これにより、化粧シート２７を貼着した金属製型材２０で構成した上框部５及び下框部６も、木質材で構成した縦框部４と同様に木質系の外観にできたのであり、戸板１に木質系で統一された良好な外観が現出されている。
【００２８】
また、図４には、上框部５や下框部６を構成できる金属製型材２０の他例を示す。この金属製型材２０も上下逆にすることで上框部５と下框部６とに用いることができる。なお、図３と同様部位には同符号を付して説明を省く。詳しくは、この金属製型材２０は断面環状の外殻片２２でのみ構成された中空型材である。溝部２１は、金属製型材２０の外側部位を構成する外殻片２２の箇所を内方に凹ませるように屈曲することで、形成されている。そして、溝部２１の溝底には貫通孔２５が穿設されている。この例の金属製型材２０においても、図３の金属製型材２０と同様に、溝部２１の外方から固定具９を操作できるから、上框部５や下框部６の縦框部４への固定作業に良好な作業性を確保できたものである。
【図面の簡単な説明】
【００２９】
【図１】本発明の実施の形態の例の戸体の正面図である。
【図２】同上の戸体における下方から見た分解斜視図である。
【図３】同上の上框部及び下框部に用いる金属製型材の例であり、（ａ）は正面図であり、（ｂ）は上面図であり、（ｃ）は側面図である。
【図４】同上の上框部及び下框部に用いる金属製型材の他例であり、（ａ）は正面図であり、（ｂ）は上面図であり、（ｃ）は側面図である。
【図５】従来技術の例の戸体の斜視図である。
【図６】従来技術の他例の戸体の正面図である。
【符号の説明】
【００３０】
１  戸体
２  鏡板
３  框体
４  縦框部
５  上框部
６  下框部
７  上切欠部
８  下切欠部
９  固定具
９ａ  頭部
１０  鏡板用開口
２０  金属製型材
２１  溝部
２６  架設片
Ｗ１  縦框部の框幅寸法
Ｗ２  上框部と下框部の各框幅寸法
【図１】
0005038867.tif 000002
【図２】
0005038867.tif 000003
【図３】
0005038867.tif 000004
【図４】
0005038867.tif 000005
【図５】
0005038867.tif 000006
【図６】
0005038867.tif 000007